(57)【要約】      （修正有）【課題】パッケージされた状態のまま、物品の内部が確認できるパッケージを提供する。【解決手段】関連する少なくとも二つ以上の物品を別々にパッケージし、さらにそれらのブリスターパッケージを重ね合わせスライド可能に収容することで、パッケージされたままの状態で内部の物品を確認できるように構成したことを特徴としている。【選択図】図３
2005193933.tif 000002
【特許請求の範囲】
【請求項１】
関連する少なくとも２つ以上の物品を収容するパッケージにおいて、一方の物品を収容するパッケージと、他方の物品とが重ね合わせ可能であると共に重ね合わせた方向にスライド可能となるように収容したことを特徴とするパッケージ。
【請求項２】
関連する少なくとも２つ以上の物品を収容するパッケージにおいて、前記物品を収容する少なくとも２つ以上のパッケージが重ね合わせ可能であると共に重ね合わせた方向にスライド可能となるように設けたことを特徴とするパッケージ。
【請求項３】
関連する２つの物品を収容するパッケージにおいて、
一方の物品を収容する第１のパッケージと、
他方の物品を収容する第２のパッケージとを備え、
前記第１のパッケージと前記第２のパッケージとを、第３のパッケージに重ね合わせた方向にスライド可能となるように収容したことを特徴とするパッケージ。
【請求項４】
前記パッケージの少なくとも一部もしくは全部が透明な合成樹脂で形成されていることを特徴とする請求項１、請求項２又は請求項３記載のパッケージ。
【請求項５】
前記物品は上部外殻と下部外殻とそれらの外殻に覆われた内部物品とからなる物品であることを特徴とする請求項１、請求項２、請求項３又は請求項４記載のブリスターパッケージ。
【発明の詳細な説明】
【技術分野】
【０００１】
本考案は、物品の収納及び展示を兼ねたディスプレイパッケージに関するものである。
【背景技術】
【０００２】
図６に示したように、従来のパッケージ１は、物品収容空間を画成する膨出部２を有するパッケージ３と台板４とを備え、パッケージ３の物品収容空間に物品５を収納し、パッケージ３の裏面に台板４を添設して前記物品収容空間内に物品を閉じこめ、さらにパッケージカバー６に収容するように構成されている。また、パッケージ１は物品をパッケージされた状態でも目視できるように透明な合成樹脂で形成されている。
【０００３】
しかし、パッケージに収容する物品１０が、図５に示したように、二つに分割可能な上部外殻１１下部外殻１２と、その中に収容されている内部物品１３とで構成されているような物の場合、従来のパッケージ１では、透明な合成樹脂で形成されているため外殻のみはパッケージされている状態のままでも目視できるが、外殻の中に入っている内部物品がどのようなものか、購入してパッケージを開けてみるまでわからないという問題があった。
【０００４】
また、棚板へ吊るすための棚板と、透明な商品カバーとの間に商品を納めて展示するように構成した展示容器等も存在するが、内部まで見るためには商品を購入して開封しなければならない。
【特許文献１】特開平７−６１４６３号公報
【発明の開示】
【発明が解決しようとする課題】
【０００５】
本発明は、かかる問題点に鑑みなされたもので、従来のパッケージでは開封しないと見られなかった物品の内部や、一見しただけでは見えない場所に描かれた絵柄などが、パッケージされた状態のまま確認できるパッケージを提供することを目的とする。
【課題を解決するための手段】
【０００６】
本考案は、上記の課題を解決するために、関連する少なくとも二つ以上の物品を別々にパッケージし、さらにそれらのパッケージを重ね合わせスライド可能に収容することで、パッケージされたままの状態で内部の物品を確認できるように構成したことを特徴としている。この場合のパッケージは透明合成樹脂によって形成されたブリスターなどが好ましい。
【０００７】
請求項１記載のパッケージでは、関連する少なくとも２つ以上の物品を収容するパッケージにおいて、一方の物品を収容するパッケージと、他方の物品とが、重ね合わせ可能であると共に重ね合わせた方向にスライド可能となるように収容したことを特徴とする。
関連する少なくとも２つ以上の物品の関連するとは、特に限定されないが、各物品を合わせることで絵柄が完成するものや、各物品の模様がつながっているものや、各物品の形状が合わせられるものや、蓋がついている物品など、２つの物品が何かしら関係がある物品のことである。
【０００８】
ここでいう重ね合わせとは、特に限定はされないが、関連する物品のそれぞれが、少なくとも一部に合わせられる箇所があればよく、内部が中空であったり、平面であったり、入り組んで組み合わせられるものとしても良い。
【０００９】
また、特に限定はされないが、この場合のパッケージは透明合成樹脂によって形成するブリスターなどが好ましい。他方の物品とパッケージが重なり合う部分など、パッケージの一部のみが透明なブリスターで他の部分は非透明性の素材としてもよい。
【００１０】
請求項２記載のパッケージでは、関連する少なくとも２つ以上の物品を収容するパッケージにおいて、前記物品を収容する少なくとも２つ以上のパッケージが重ね合わせ可能であると共に重ね合わせた方向にスライド可能となるように設けたことを特徴としている。
スライド方法としては、特に限定はされないが、各パッケージを重ね合わせた方向にスライドレールを設けたり、各パッケージの全てを重ね合わせて一つのパッケージに収容し、各パッケージに設けられたヘッダーを引いたり持ち上げたりすることで、スライドさせる等が考えられる。
【００１１】
請求項３記載のパッケージでは、関連する２つの物品を収容するパッケージにおいて、一方の物品を収容する第１のパッケージと、他方の物品を収容する第２のパッケージとを備え、前記第１のパッケージと前記第２のパッケージとを、第３のパッケージに重ね合わせた方向にスライド可能となるように収容したことを特徴としている。
【発明の効果】
【００１２】
以上説明したように本考案のパッケージは、パッケージされたままの状態でも物品の隠されている部分、図柄、内部の物品などを見ることができ、消費者は商品を購入する前に隠された内部の物品のデザインや形状を確認することができるという利点がある。
【発明を実施するための最良の形態】
【００１３】
以下に本発明を図面に示した実施の形態に基づいて説明する。
【実施例１】
【００１４】
図１は、本発明に係るパッケージの一実施の形態を示したもので、図１はその分解図を示したものである。
【００１５】
このパッケージは、一方の物品を収容する第１のパッケージ２０と他方の物品およびパッケージ２０とを収容するパッケージ４０とによって構成されている。
【００１６】
第１のパッケージ２０は、物品を収容する空間２５を有し、上部にヘッダー２４を備えたブリスターカバー２６と、二つに分割された物品の上部外殻１１の内側に沿って形成された膨出部２１を有する台部２２とで構成されている。台部２２の膨出部２１は、パッケージ時に物品がずれることを防ぐため、上部外殻１１の内側に備えられた孔（図示せず）と嵌合する突起２３を先端に備えている。ブリスターカバー２６と台部２２との間に上部外殻１１を収容し、ブリスターカバー２６と台部２２とをテープなどで固定する。
【００１７】
パッケージ４０は、一方の物品である上部外殻１１を収容した第１のパッケージ２０と、台部に支えられた他方の物品である下部外殻１２および内部物品１３とが縦方向にスライドできる空間を残して収容可能な空間４３を有している。また、パッケージ４０は、第１のパッケージ２０と下部外殻１２および内部物品１３を収容した後、第１のパッケージ２０のヘッダー２４の一部を外に出したまま上部に設けられた折り曲げ部４１、４２を折り曲げ、パッケージ４０を閉じる。このときヘッダー２４を持ち上げてスライドできるように、折り曲げ部４２の側面のみをテープなどで止める。
【００１８】
第１のパッケージ２０はパッケージ４０の中で内部物品１３を覆い隠すように重ね合わせられ、ヘッダー２４を持ち上げることにより、第１のパッケージ２０が物品１１と共に持ち上げられ、内部物品１３が目視できる。
【００１９】
また、この実施例において、パッケージ４０に第１のパッケージ２０と物品と台部とを収容してヘッダー２４を持ち上げてスライドさせる構成としているが、パッケージ４０を用いなくとも、下部外殻１２と内部物品１３とを台部に固定し、第１のパッケージの下部にスライド爪（図示せず）と、台部３５の側面にスライド溝（図示せず）とを設けて、第１のパッケージ２０と台部３５とをスライドさせるようにしても良い。
【実施例２】
【００２０】
図２は、本発明に係るパッケージの他の実施の形態を示したもので、図２はその分解図を示したものである。
【００２１】
このパッケージは、第１のパッケージ２０と第２のパッケージ３０とによって構成されている。
【００２２】
第１のパッケージ２０は、下部側面にスライド爪２７が設けられている。スライド爪２７を突出させて、上記実施の形態と同様に外殻１１を収容している。
【００２３】
第２のパッケージ３０は、他方の物品である、下部外殻１２と内部物品１３とを収容する空間３２を画成する膨出部３１を有するブリスターカバー３３と、台部３５とで構成されている。台部３５の中央には、下部外殻１２の底面に備えられた孔（図示せず）と勘合する突起３４を備えている。ブリスターカバー３３と台部３５との間に下部外殻１２と内部物品１３とを収容し、ブリスターカバー３３と台部３５とをテープなどで固定する。また、ブリスターカバー３３の側面には第１のパッケージ２０に設けられたスライド爪２７に係合し、縦方向にスライド可能となるスライド溝が設けられている。スライド爪２７およびスライド溝３６は側面に限らず、スライド可能となればこの形態に限らない。
【実施例３】
【００２４】
図３及び図４は、本発明に係るパッケージの他の実施の形態を示したもので、図３はその分解図、図４は図３の実施例において、物品を収容し、パッケージを重ね合わせた状態を示したものである。
【００２５】
このパッケージは、第１のパッケージ２０と第２のパッケージ３０とそれらを収容する第３のパッケージ４０とによって構成されている。
【００２６】
第１のパッケージ２０は、物品を収容する空間２５を有し、上部にヘッダー２４を備えたブリスターカバー２６と、二つに分割された物品の上部外殻１１の内側に沿って形成された膨出部２１を有する台部２２とで構成されている。台部２２の膨出部２１は、パッケージ時に物品がずれることを防ぐため、上部外殻１１の内側に備えられた孔（図示せず）と嵌合する突起２３を先端に備えている。ブリスターカバー２６と台部２２との間に上部外殻１１を収容し、ブリスターカバー２６と台部２２とをテープなどで固定する。
【００２７】
第２のパッケージ３０は、他方の物品である、下部外殻１２と内部物品１３とを収容する空間３２を画成する膨出部３１を有するブリスターカバー３３と、台部３５とで構成されている。台部３５の中央には、下部外殻１２の底面に備えられた孔（図示せず）と勘合する突起３４を備えている。ブリスターカバー３３と台部３５との間に下部外殻１２と内部物品１３とを収容し、ブリスターカバー３３と台部３５とをテープなどで固定する。
【００２８】
第３のパッケージ４０は、第１のパッケージ２０と第２のパッケージ３０が縦方向にスライドできる空間を残して収容可能な空間４３を有している。第１のパッケージ２０と第２のパッケージ３０を収容した後、第１のパッケージ２０のヘッダー２４の一部を外に出したまま上部に設けられた折り曲げ部４１、４２を折り曲げ、パッケージ４０を閉じる。このときヘッダー２４を持ち上げてスライドできるように、折り曲げ部４２の側面のみテープなどで止める。
【００２９】
図４に示すように、ヘッダー２４を持ち上げることによって、第１のパッケージ２０が上部外殻１１と共に持ち上がり、第２のパッケージ３０に収容されている内部物品１３をパッケージされた状態のまま確認することができる。
【００３０】
本実施例では、縦方向のみの例を記載したが、これに限定するものではない。
また、本実施例では収容する物品が、外殻に覆われたもので、第１のパッケージに上部外殻を収容し、持ち上げることによって、内部物品が目視できるようになっているが、収容する物品はこの形状に限定されることはなく、上部物品、下部物品の接する平面に図柄が隠れており、スライドさせることによって目視できるような構成でもよい。
【００３１】
本実施例では、物品を２つに分割してスライドさせ、内部を目視できるような構成としているが、物品の分割数やパッケージの数はいくつでもよい。特に限定はされないが、分割した物品を、それぞれヘッダーを伸ばしたパッケージに個々に収容することで、対応した箇所がスライド可能となりそれぞれの内部が目視できるような構成としてもよい。
【００３２】
また、本実施例では、全面が透明な合成樹脂でできたブリスターを使用しているが、内部を目視できる部分のみが透明であれば、他の部分は非透明な素材でもよい。
【図面の簡単な説明】
【００３３】
【図１】本発明に係るパッケージの実施の形態を示した分解斜視図である。（実施例１）
【図２】本発明に係るパッケージの他の実施の形態を示した分解斜視図である。（実施例２）
【図３】本発明に係るパッケージの他の実施の形態を示した分解斜視図である。（実施例３）
【図４】図３のパッケージを重ね合わせた状態を示した斜視図である。（実施例３）
【図５】パッケージされる物品を示した斜視図である。
【図６】従来のブリスターパッケージを示した斜視図である。
【符号の説明】
【００３４】
１０    物品
１１    上部外殻
１２    下部外殻
１３    内部物品
２０    第１のパッケージ
３０    第２のパッケージ
４０    第３のパッケージ
【図１】
2005193933.tif 000003
【図２】
2005193933.tif 000004
【図３】
2005193933.tif 000005
【図４】
2005193933.tif 000006
【図５】
2005193933.tif 000007
【図６】
2005193933.tif 000008